(57)【要約】【課題】多様化した種類や仕様に応じて共用できるアクセル連動機構を備えたトラクタを提供する。【解決手段】運転部においてアクセルペダルに連結した操作ワイヤ先端を原動機のアクセル操作行うアクセル連動機構に接続すると共に、アクセル連動機構は運転部のフロアプレート下面に配設し、しかも、アクセル連動機構は、フロアに溶着したベースプレートと、ベースプレートに軸架し操作ワイヤの先端に回動自在に連動連結した操作軸と、操作軸に連結した軸復元機構と、操作軸に連設したアクセル作動部とより構成し、トラクタの異なる仕様にもかかわらず、同じ機構のアクセル連動機構を共用することができるトラクタとした。【選択図】図１３
2016222070.tif 000002
【特許請求の範囲】
【請求項１】
運転部においてアクセルペダルに連結した操作ワイヤ先端を原動機のアクセル操作行うアクセル連動機構に接続すると共に、アクセル連動機構は運転部のフロアプレート下面に配設し、しかも、アクセル連動機構は、フロアに溶着したベースプレートと、ベースプレートに軸架し操作ワイヤの先端に回動自在に連動連結した操作軸と、操作軸に連結した軸復元機構と、操作軸に連設したアクセル作動部とより構成し、トラクタの異なる仕様にもかかわらず、同じ機構のアクセル連動機構を共用することができるトラクタ。
【請求項２】
アクセルペダルの操作量をアクセル作動部に伝達する機構としてワイヤを用いて行うことにも特徴がある請求項１に記載のトラクタ。
【請求項３】
アクセルペダルの操作量をアクセル作動部に伝達する機構としてポテンショ装置により検出した信号により行うことにも特徴がある請求項１に記載のトラクタ。
【発明の詳細な説明】
【技術分野】
【０００１】
この発明は、後端に作業機を連結して農作業を行うトラクタにおいて、走行操作を行う運転部のアクセル連動機構に関する。
【背景技術】
【０００２】
従来、トラクタは機体フレームの前部に原動機部を搭載し、その後方に運転部を設け、機体フレームに沿って原動機部から延設したミッションケース後端にＰＴＯ軸を突出すると共に、機体フレーム下方の前後のアクスルケースより延出した車軸に設けた前後車輪により走行しながらトラクタ本体の後端に連結した作業機を牽引してＰＴＯ軸から作業機に伝達した動力により農作業を施工するように構成している。
【０００３】
かかる自走式トラクタにおいては、ＨＳＴ（油圧無段変速機）が用いられており、ＨＳＴ（油圧無段変速機）は踏み込み量の調整によりＨＳＴの変速操作をする前進アクセルペダル（変速操作部材）と、前進アクセルペダルの操作位置を保持するクルーズコントロール機構とから構成されている。
【０００４】
クルーズコントロール機構は摩擦部材を備え、摩擦部材によって前進アクセルペダルの操作位置を保持し所望の位置でアクセルを保持することができるように構成されている（特許文献１参照）。
【先行技術文献】
【特許文献】
【０００５】
【特許文献１】特開２００１１−０４２３０７号公報
【発明の概要】
【発明が解決しようとする課題】
【０００６】
かかるトラクタは、従来、使用地域における相違やキャビン型或いはロプス型等の機種の相違や大型、小型等の相違等のような多様化した種類が増加している。このため、それぞれの機種に適用できる多数類の複雑な部品を予め取り揃えて置く必要があった。特に、特許文献１に示す油圧無段変速機付き自走式車両（トラクタ）においても、多様化するトラクタの種類及び仕様に応じたトラクタの操縦者によるアクセルペダルの操作量をエンジンに伝達する機構（以下、アクセル連動機構という）を配設するためにも多数類の複雑な部品が必要となっていた。
【０００７】
また、アクセル連動機構の仕様にも、アクセルペダルの操作量をワイヤにより直接原動機部のアクセル作動部に伝達する方式や、アクセルペダルの操作量をポテンショ装置により検出した信号により原動機部のアクセル作動部に伝達する方式等、トラクタの機種に応じて様々なアクセル操作量の伝達機構の仕様があった。
【０００８】
このため、トラクタの多様化する種類、様々な仕様に応じたアクセル連動機構の共用化は、部品の在庫保管やトラクタのコスト上の問題やメンテナンス作業上の問題において製造現場やメンテナンス作業現場等において喫緊の重要な課題となっている。
【０００９】
この発明では、トラクタの多様化した種類や仕様に応じて共用できるアクセル連動機構を備えたトラクタを提供せんとするものである。
【課題を解決するための手段】
【００１０】
この発明は、運転部においてアクセルペダルに連結した操作ワイヤ先端を原動機のアクセル操作行うアクセル連動機構に接続すると共に、アクセル連動機構は運転部のフロアプレート下面に配設し、しかも、アクセル連動機構は、フロアに溶着したベースプレートと、ベースプレートに軸架し操作ワイヤの先端に回動自在に連動連結した操作軸と、操作軸に連結した軸復元機構と、操作軸に連設したアクセル作動部とより構成し、トラクタの異なる仕様にもかかわらず、同じ機構のアクセル連動機構を共用することができるトラクタを提供する。
【００１１】
また、アクセルペダルの操作量をアクセル作動部に伝達する機構としてワイヤを用いて行うことにも特徴がある。
【００１２】
また、アクセルペダルの操作量をアクセル作動部に伝達する機構としてポテンショ装置により検出した信号により行うことにも特徴がある。
【発明の効果】
【００１３】
請求項1の発明によれば、運転部においてアクセルペダルに連結した操作ワイヤ先端を原動機のアクセル操作を行うアクセル連動機構に接続すると共に、アクセル連動機構は運転部のフロアプレート下面に配設し、しかも、アクセル連動機構は、フロアに溶着したベースプレートと、ベースプレートに軸架し操作ワイヤの先端に回動自在に連動連結した操作軸と、操作軸に連結した軸復元機構と、操作軸に連設したアクセル作動部とより構成している。このため、トラクタの異なる仕様に関わらずアクセル連動機構を共用化することができ、共用構成部材であるため大量生産が可能となり、更には、部品のメンテナンス作業も容易となり、各種の構成部材の在庫管理も効率的に行えることになるため総合的にコスト上も有利となる等の各種の効果がある。
【００１４】
請求項２の発明によれば、アクセルペダルの操作量をアクセル作動部に伝達する機構としてワイヤを用いて行うことにしたので、簡単な機械的連動機構により確実にアクセル操作によるペダル操作量をアクセル作動部に伝達することができる効果がある。
【００１５】
請求項３の発明によれば、アクセルペダルの操作量をアクセル作動部に伝達する機構としてポテンショ装置により検出した信号により行うことにしたので、簡単な構造で確実な電気的信号によりアクセル操作によるペダル操作量をアクセル作動部に正確に伝達することができる効果がある。
【図面の簡単な説明】
【００１６】
【図１】本実施形態に係るロプスタイプのトラクタの斜視図である。
【図２】本実施形態に係るロプスタイプのトラクタの側面図である。
【図３】本実施形態に係るロプスタイプの機体フレーム周りを説明する斜視図である。
【図４】本実施形態に係るロプスタイプの機体フレーム周り示す分解斜視図である。
【図５】本実施形態に係るロプスタイプの熱風遮蔽板周りを示す斜視図である。
【図６】本実施形態に係るロプスタイプの運転部の一部を示す斜視図である。
【図７】本実施形態に係るロプスタイプの運転部の一部を示す斜視図である。
【図８】本実施形態に係るキャビンタイプのトラクタの斜視図である。
【図９】本実施形態に係るキャビンタイプのトラクタの側面図である。
【図１０】本実施形態に係るキャビンタイプの機体フレーム周り示す斜視図である。
【図１１】本実施形態に係るキャビンタイプの機体フレーム周り示す分解斜視図である。
【図１２】本実施形態に係るキャビンタイプの機体フレーム周りとキャビンを示す斜視図である。
【図１３】本実施形態に係るアクセル連動機構の構成を示す図である。
【図１４】本実施形態に係るワイヤを用いたアクセル連動機構の構成を示す図である。
【図１５】本本実施形態に係るポテンショ装置を用いたアクセル連動機構の構成を示す図である。
【発明を実施するための形態】
【００１７】
［本発明の基本的な特徴］
この発明のトラクタは、原動機部の後方に運転部を配設し、その左右側方に左右ステップを延設し、フロアの後方に座席を設け、座席の左右側方に左右フェンダを配設しており、かかる自走式トラクタにおいては、油圧無段変速機としてのＨＳＴが用いられており、油圧無段変速機としてのＨＳＴではアクセルペダルの踏み込み量の調整によりＨＳＴの変速操作をすることができるように構成されており、しかもアクセルペダルの操作位置は一定位置で保持されるようにクルーズコントロール機構が設けられている。
【００１８】
更には、かかる自走式トラクタでアクセルペダルの踏み込み量の調整によりＨＳＴの変速操作をする構造は、運転部に配設したアクセルペダルに操作ワイヤ結連し操作ワイヤ先端を原動機のアクセル操作行うアクセル連動機構に接続すると共に、アクセル連動機構は運転部のフロアプレート下面に配設し、しかも、アクセル連動機構は、フロアに溶着したベースプレートと、ベースプレートに軸架し操作ワイヤの先端に回動自在に連動連結した操作軸と、操作軸に連結した軸復元機構と、操作軸に連設したアクセル作動部とより構成したことに特徴を有し、かかる構成によりトラクタの異なる仕様にもかかわらず、同じ機構のアクセル連動機構を共用することができるトラクタを提供する。
【００１９】
しかも、アクセルペダルの操作量はアクセル作動部に伝達する機構としてワイヤを用いて調整する。また、アクセルペダルの操作量はアクセル作動部に伝達する機構としてポテンショ装置により検出した信号を用いて調整する。
【００２０】
［トラクタの基本構造］
以下に、本発明の実施形態を作業車両としてのトラクタを例として図１〜図１５を参照して説明する。図１〜図１５は、本発明の実施例のトラクタＡ１，Ａ２の構成を示す図である。なお、本説明中における前後左右とは、運転席に着座した運転者から見たトラクタの前方を前とし、後方を後とし、運転者から見た右側を右、左側を左として説明する。
【００２１】
トラクタＡ１，Ａ２は、前後方向に伸延した一定幅の長手鋼板を縦幅方向に立て左右に配設構成した機体フレーム１を中心とし、その前部に原動機部２を搭載すると共に、その後方に運転部３を配設し、機体フレーム１の下方にはエンジンＥからミッションケースＭを介して動力の伝達された前輪ＦＴ，ＦＴ及び後輪ＲＴ，ＲＴが軸架されている。
【００２２】
ミッションケースＭは、機体フレーム１に一体固設され後端にはＰＴＯ軸（図示せず）が突出し、トラクタＡ１，Ａ２の後部に連結具、リフター等（図示せず）を介して連結する各種作業機へ動力を伝達可能に構成している。かかるトラクタＡ１，Ａ２は本発明では２種類のタイプに分類される。
【００２３】
トラクタＡ１は、図１に示すように運転部３の背後にロプスＲを立設したロプスタイプのトラクタを構成し、また、図８に示すトラクタＡ２は、キャビンＣにより運転部３を被覆しているキャビンタイプのトラクタを構成する。
【００２４】
本実施例の説明では、まずロプスタイプのトラクタＡ１の全体構成について説明し、続いてキャビンタイプのトラクタＡ２の全体構成について説明する。その後に、本発明の特徴となる構成を説明する。
【００２５】
ロプスタイプのトラクタＡ１は、図１〜図７に示すように、前後方向に延伸させて枠組形成した機体フレーム１の前部に原動機部２を設けるとともに、機体フレーム１の後端部にミッションケースＭを設け、原動機部２とミッションケースＭは、動力伝動シャフト（図示せず）を介して連動連結している。そして、機体フレーム１の前部には、左右方向に軸線を形成したフロントアクスルケースＦＡ，ＦＡを取り付け、フロントアクスルケースＦＡ，ＦＡの左右側端部に前輪軸（図示せず）を介して前輪ＦＴ，ＦＴを取り付けている。
【００２６】
また、ミッションケースＭの左右側部には、それぞれリヤアクスルケースＲＡ，ＲＡを取り付けて、各リヤアクスルケースＲＡ，ＲＡに後輪軸４を介して後輪ＲＴ，ＲＴを連動連結している。ミッションケースＭとフロントアクスルケースＦＡ，ＦＡは、前輪駆動シャフト（図示せず）を介して連動連結して、前輪ＦＴ，ＦＴ及び後輪ＲＴ，ＲＴを駆動する四輪駆動を可能としている。
【００２７】
トラクタＡ１は、機体フレーム１上において、原動機部２の後方に運転部３を配設している。具体的には、図４に示すように、機体フレーム１の側方にそれぞれ取付けた左右ベースフレーム５上に運転部３を構成する運転席フレーム１４を載置固定している。また、左右ベースフレーム５は後部側を上方に折曲した傾斜フレーム６を形成し、後端部にはリヤアクスルケースＲＡ，ＲＡに関連して設けた水平連結板７を介して補助ビーム８を一体に垂直に立設している。また、左右ベースフレーム５の前部にはその外方にわたって運転部フロア９を下方から支持する平面視コ字状のフロア枠体１１０を架設している。
【００２８】
また、左右ベースフレーム５は、前端を機体フレーム１の側方に突設した運転部載置片１１上に防振音プレート（図示せず）を介して載置固定し、後端を左右のリヤアクスルケースＲＡ，ＲＡ上に補助ビーム８の下端部を載置固定している。
【００２９】
運転部３は、原動機部２の直後方位置からミッションケースＭの直前方位置まで左右ベースフレーム５上に床面部としての運転部フロア９を張設している。運転部フロア９の左右側方でフロア枠体１１０上には、運転部フロア９面を延設した構造に相当する各２分割の左右ステップＳＬａ，ＳＬｂ，ＳＲａ，ＳＲｂが配設されている。
【００３０】
原動機部２のエンジンＥ後方に位置するミッションケースＭの上方には、運転席１３を配設し、運転席１３の左右側方には左右一対のフェンダ２０Ｌ，２０Ｒ（以下、左右フェンダ２０Ｌ，２０Ｒという）を配設している。左右フェンダ２０Ｌ，２０Ｒは運転部フロア９の後部左右側方から立ち上げて形成して、後輪ＲＴ，ＲＴの前上部を被覆する。
【００３１】
運転部３の右側方に位置するフェンダ２０Ｒ上、及びその近傍には、車速を操作する変速操作部２９や作業機の昇降作業を行うローダ操作部３０等の各種操作レバーやスイッチ類を配設している。
【００３２】
ロプスＲは、門型に形成して左右のリヤアクスルケースＲＡ，ＲＡの上面に立設した補助ビーム８上端の連結フランジ８１に跨架状に立設されており、機体横転時に運転席１３に着座している運転者を保護する機能を果たす。
【００３３】
本発明のロプスタイプのトラクタＡ１では、他機種トラクタと共用可能に形成した左右ベースフレーム５、運転部フロア９、左右ステップＳＬａ，ＳＬｂ，ＳＲａ，ＳＲｂ、左右フェンダ２０Ｌ，２０Ｒ等の各構成部材は、この左右ベースフレーム５を中心にして左右ベースフレーム５に直接的に或いは間接的にボルトによって所定位置に取外し、離脱可能に付設されてアセンブリングされている。
【００３４】
左右ベースフレーム５においては、その中途部を折曲して形成した傾斜フレーム６上には運転席１３を構成するための運転席フレーム１４が載置連結されている。すなわち、運転席フレーム１４は水平の座席フレーム１５とその後縁部に傾斜して立ち上げた背フレーム１６と座席フレーム１５の前端下方に垂設した前フレーム１７と座席フレーム１５の左右端下方に垂設した脚体フレーム１０とからなり、脚体フレーム１０の下端縁は左右ベースフレーム５の傾斜フレーム６上に載置され、しかも、傾斜フレーム６の外側面には略三角形状の当て板１９を当接状に立ち上げ連設すると共に、当て板１９の伸延部は脚体フレーム１０の外側面に当接密着してボルトにより一体に固着している。
【００３５】
更には、脚体フレーム１０の外側面より内側に引っ込んで配設された座席フレーム１５の側面と当て板１９との間には後車輪の内側をカバーするフェンダ内壁板２１を挿入する間隙を形成しておりその間隙にフェンダ内壁板２１の下端を挿入して座席フレーム１５と当て板１９との間で挟持している。これらの三個の部材はボルトにより一体に強固に連結する構造としており、かかる構造により左右ベースフレーム５に左右フェンダ２０Ｌ，２０Ｒをより強固に連設固定することができると共に、ボルト離脱により左右フェンダ２０Ｌ，２０Ｒのフェンダ内壁板２１を取外し可能に構成している。
【００３６】
また、左右ベースフレーム５の前部には平面プレート形状の運転部フロア９が架設され、運転部フロア９の両側縁部には左右ステップＳＬａ，ＳＬｂ，ＳＲａ，ＳＲｂがボルトを介して離脱自在に連設され、左右ステップＳＬａ，ＳＬｂ，ＳＲａ，ＳＲｂの間には運転部フロア９を配設してそれぞれを取外し自在にボルトで連結している。また、運転部フロア９の後端部にはボルトを介して防塵板１８を離脱自在に連設している。
【００３７】
運転部フロア９の左右に配設した左右ステップＳＬａ，ＳＬｂ，ＳＲａ，ＳＲｂの外側端の前後部には補助ステップＳが略コ字状に垂設されており、補助ステップＳの後端部には左右フェンダ２０Ｌ，２０Ｒの前端部が一体に連結され左右フェンダ２０Ｌ，２０Ｒの前部固定を更に強固に構成している。
【００３８】
トラクタＡ１の機体フレーム１の外側面左右には左右ベースフレーム５が併設されている。すなわち、左右ベースフレーム５は機体フレーム１の中途部から後方に伸延しており、互いにその外側面同士を、ボルトを介して連結している。
【００３９】
そして、左右ベースフレーム５は、前部を運転部３の運転部フロア９に、後部は左右後輪ＲＴ，ＲＴをカバーする左右フェンダ２０Ｌ，２０Ｒの後部にそれぞれ位置するように機体フレーム１に沿って前後方向に伸延配設されている。しかも、左右ベースフレーム５の中途部は左右フェンダ２０Ｌ，２０Ｒの内側面に沿って約３０度の角度で上方に折曲して傾斜フレーム６を形成している。
【００４０】
この傾斜フレーム６の中途部は、補助ビーム８の中途部に水平に突設した水平連結板７と一体に連結されている。なお、補助ビーム８はリヤアクスルケースＲＡ，ＲＡ上に載置された緩衝装置（図示せず）の上面に立設されており、その中途部は左右ベースフレーム５の後端と一体に連設され、しかもロプスＲの下端や左右フェンダ２０Ｌ，２０Ｒ後端部等が間接的に連設されて機体後部の主要フレームの一部を構成している。
【００４１】
すなわち、補助ビーム８の上端には連結フランジ８１を設け、連結フランジ８１には左右フェンダ２０Ｌ，２０Ｒの内側面と門型のロプスＲの下端をそれぞれ一体に連設している。このように補助ビーム８の上端に設けた連結フランジ８１には左右フェンダ２０Ｌ，２０ＲやロプスＲを取付ける機能を持たせるように構成している。
【００４２】
また、原動機部２と運転部３との間には熱風遮蔽板１００が介設されており、その下端縁は運転部フロア９と連設され、熱風遮蔽板１００の上端縁は、ボンネットＢの後端縁に連設されている。
【００４３】
熱風遮蔽板１００の左右端縁には防風板１１１，１１１が一体に突設されており、運転部３の前部は熱風遮蔽板１００と防風板１１１，１１１により前方の原動機部２と区画されていると共に、防風板１１１の外縁フレームＧＦの下端を左右ステップＳＬａ，ＳＬｂ，ＳＲａ，ＳＲｂに連設することにより防風板１１１と一体の熱風遮蔽板１００の左右端縁の支持固定が行われる。
【００４４】
なお、熱風遮蔽板１００の運転席側の中央には中空枠の連結ケース２７を突設し、中空枠の連結ケース２７にはステアリングコラム２４を設けている。ステアリングコラム２４は、連結ケース２７に固設したステアリングブラケット２８に傾斜自在に装着されており、ハンドル支軸２６の上端にはハンドルＨを設けている。
【００４５】
ステアリングコラム２４の前上方には、熱風遮蔽板１００の上端縁にダッシュボード２５を取り付けると共に、ステアリング機構２２はハンドルＨ以外をステアリングカバー４３により被覆している。
【００４６】
また、各種操作ペダル２３は熱風遮蔽板１００に突設した連結ケース２７に支持され、左からクラッチペダルＣＰ、左ブレーキペダルＬＢＰ、右ブレーキペダルＲＢＰを配設している。なお、アクセルペダルＡＰは、床面を構成する右ステップＳＲｂ上に突設している。
【００４７】
原動機部２は、機体フレーム１の前部にエンジンＥ等を配設して構成している。すなわち、機体フレーム１の前部上に、主構成部材であるエンジンＥを搭載している。エンジンＥの直前方には、前後方向に軸線を向けたファン軸（図示せず）を介して冷却ファン３１を連動連結し、冷却ファン３１の直前方には、ラジエータ３２を立設している。一方、エンジンＥの右側後部の直上方には、エンジンＥの吸気口部と連通連結したエアクリーナ（図示せず）を配設している。
【００４８】
上記のように構成した原動機部２には、ボンネット支持枠体（図示せず）を設けて、ボンネット支持枠体にボンネットＢを開閉自在に取り付け、ボンネットＢにより原動機部２のエンジンルームを被覆・開放自在としている。ボンネットＢは、船底を逆さにしたような形（いわゆる、船底天井）に形成した天井部３３と、網目状のフロントグリル３４と、左・右側面部３５，３５と、から下方と後方が開口する箱型に形成している。
【００４９】
原動機部２を被覆するボンネットＢと運転部３との間に形成された間隙３６には、排熱孔３８を有する排熱カバー３７を介設している。排熱カバー３７は、ボンネットＢの後端縁部の形状と同一形状である背面視門型に形成し熱風遮蔽板１００の上部と連設している。本発明の実施形態たるロプスタイプのトラクタＡ１は上記のように構成されている。
【００５０】
［キャビンタイプのトラクタの説明］
キャビンタイプのトラクタＡ２は、図８〜１２に示すように、ロプスタイプのトラクタＡ１と基本的構造を同じくしている。すなわち、主要な構成部材は左右ベースフレーム５’であり、他機種トラクタと共用可能に形成した運転部フロア９、左右ステップＳＬ，ＳＲ、左右フェンダ２０Ｌ，２０Ｒ等の各構成部材は、左右ベースフレーム５’を中心にしてそれぞれボルトにより所定の位置に取外し、離脱可能にアセンブリングされて装着されている点では同一である。
【００５１】
しかし、キャビンタイプは、ロプスＲ及び防風板１１１に替えて、運転部３を被覆するキャビンＣを設けている点で異なる。キャビンＣは、六面体を形成するように枠組み形成したキャビンフレーム２２２と、キャビンフレーム２２２を形成する各片により形成された各面部とから形成している。
【００５２】
すなわち、キャビンフレーム２２２には、天井面部２２３に扁平箱状に形成した天井部２２４張設し、前面部２２５の上部にフロントガラス部２２６を張設するとともに、下部に左右側前壁部２２７を張設している。左右側面部２３６の前部には、左右一対の乗降扉部２３７を開閉自在に張設している。図中、乗降扉部２３７の内面には図示しないグリップパイプが張設したされており、２３９は外部に設けた開閉操作グリップを示す。左右側面部２３６の後部には、左右一対のサイド窓部２４０を開閉自在に張設している。後面部２３１には、リヤガラス部２４１を開閉自在に張設している。
【００５３】
上記のように構成したキャビンＣは、他機種トラクタのキャビンと共用自在に構成されており、その構造は下端開口状の箱型に形成し、運転部フロア９の前部上と、左右フェンダ２０Ｌ，２０Ｒ上とにわたって載設し運転部３を上方より被覆するように構成している。
【００５４】
左右ベースフレーム５’の中途部は約３０度の角度で上方に折曲した傾斜フレーム６を形成し、この傾斜フレーム６の中途部は、ロプスタイプと異なりリヤアクスルケースＲＡ，ＲＡの上面に設けた緩衝装置（図示せず）の上部に水平固定した水平連結板７’の前端部と一体に連結されている。この連結形態は水平の水平連結板７’の前端部中央に切欠き部を形成し、この切欠き部に傾斜フレーム６の中途部を嵌着して一体に連結する。このような連結形態により左右ベースフレーム５’が関連部材による荷重を受けても下方から水平連結板７’が支持して上方からの荷重応力を充分に受け止めるように構成している。また、左右ベースフレーム５’は、前端を機体フレーム１の側方に突設した運転部載置片１１上に防振音プレート１２を介して載置固定している。
【００５５】
水平連結板７’の後端には垂直上方に立ち上がった補助ビーム８’の下端を一体に固設しており、補助ビーム８’の中途部は傾斜フレーム６の後端部に一体に連設されている。しかも、ロプスタイプと異なり、補助ビーム８’の上端は連結ブラケット２３３を介して左右フェンダ２０Ｌ，２０Ｒの後端及びキャビンフレーム２２２の後下端と一体に連設されている。また、キャビンフレーム２２２の後面中段に設けた後方横フレーム２３２は運転席フレーム１４の背フレーム１６にボルトにより一体に連結している。しかも、キャビンフレーム２２２の前部下端縁部、すなわち、左右フェンダ２０Ｌ，２０Ｒ上に載置される左右側面下枠２３４の前方の前面下枠２３５は補助ステップＳの外縁部に当接して一体に連設されている。
【００５６】
キャビンフレーム２２２の下端縁には下部支持フレームが設けられており、その下部支持フレームはキャビンの後側面下枠と左右側面下枠２３４と前面下枠２３５等の方形フレームにより構成されている。このうち左右側面下枠２３４は半円弧状の左右フェンダ２０Ｌ，２０Ｒの上面に載置される。すなわち、キャビンＣの側面下部は左右フェンダ２０Ｌ，２０Ｒの上面に安定して載置固定されていることになる。
【００５７】
更には、キャビンフレーム２２２において左右の左右側面下枠２３４前端間に架設された前端下部横フレームは熱風遮蔽板１００の裏側、すなわち、ボンネットＢとの境部分に配設されて、熱風遮蔽板１００の運転席１３側に装着された構成部材、例えば、連結ケース２７やステアリングブラケット２８やステアリングコラム２４やアクセルユニット等、更には、ステアリングカバー４３や化粧カバーで被覆したダッシュボード２５等の構成部材はキャビン内に収納されてキャビン内前部に配設される。
【００５８】
また、ロプスタイプと同様に、左右ベースフレーム５’の折曲部の傾斜フレーム６上には運転席１３を構成するための運転席フレーム１４が載置して連結され、座席フレームと左右ベースフレーム５’から立ち上げた当て板１９との間では後輪ＲＴの内側をカバーするフェンダ内壁板２１を挟持し三個の部材をボルトにより一体連結する構造として左右ベースフレーム５’への左右フェンダ２０Ｌ，２０Ｒの固定をより強固に構成している。
【００５９】
また、運転部３の床面の構成に関してもロプスタイプと同様に平面プレート状の運転部フロア９、左右ステップＳＬ，ＳＲ、防塵板１８等を備える。キャビンＣはキャビンフレーム２２２の下端縁の半円弧部分を左右フェンダ２０Ｌ，２０Ｒ上に載置してボルトにより取外し自在に連設している。
【００６０】
更に、キャビンＣの前面部に上半部にはフロントガラス部２２６を張設するとともにその下半部は熱風遮蔽板１００とその左右端縁の防風板１１１の一体形状に合わせて切欠き部を形成しており、この切欠き部に熱風遮蔽板１００と左右の防風板１１１の一体の外縁部を嵌着している。そして、かかる熱風遮蔽板１００に装着された連結ケース２７やステアリングブラケット２８やステアリングコラム２４及びアクセルユニット等は熱風遮蔽板１００に前端縁を固定し後端縁をステアリングコラム２４に一体に連設固定したステアリングカバー４３によりカバーリングされ、ステアリングカバー４３の表面から頂上部にかけては化粧カバーで被覆してダッシュボード２５を形成し、これらの構成部材はキャビン内の前部に配設される。本発明の実施形態たるキャビンタイプのトラクタＡ２は上記のように構成されている。
【００６１】
［本発明トラクタの要部の構成］
上記したロプスタイプのトラクタＡ１及びキャビンタイプのトラクタＡ２は主体的な構成部材をそれぞれ共用化できるように構成しており、異なる機種のトラクタにも使用することがきるようにボルトによる連設構造とすると共に、構成部材そのものも機種が異なっても各配設位置に適合するような共用構造に形成している。
【００６２】
かかる共用化できる基本的な思想のもとで、特に本発明では油圧式無断変速装置（図示せず）の出力制御に関連して運転フロアのアクセルペダルＡＰから油圧式無断変速装置の変則制御を行うポテンショ装置に至るまでのアクセル連動機構を共用可能に構成したことを特徴とする。
【００６３】
すなわち、油圧式無断変速装置により走行変速制御を行うことができるように構成したロプスタイプＡ！のトラクタにおいては、原動機部２のエンジンからの出力を油圧式無断変速装置における油圧ポンプと油圧モータの制御出力とし、油圧式無断変速装置により制御された変速出力は正逆クラッチ、高低速クラッチ、前後進クラッチなどの変速装置により出力動力合成されて前輪軸や後輪軸に所定の変速動力を伝えるように構成している。
【００６４】
本発明のトラクタにおいては、油圧式無断変速装置の制御はポテンショ装置からの電気信号によってコントローラを介して行われるように構成している。かかる油圧式無断変速装置の変速制御のためのポテンショ装置はアクセルペダルＡＰの踏み込み操作によりアクセル連動機構を介し電気信号の出力が行われる。すなわち、アクセルペダルＡＰの踏み込み量を大にすればコントローラを介して油圧式無断変速装置からの出力は大となり走行速度は速くなる。
【００６５】
このように運転部３の運転部フロア９に踏みこみ自在に配設したアクセルペダルＡＰと油圧式無断変速装置を制御操作するポテンショ装置との間にはアクセル連動機構が介設されており、ポテンショ装置からの電気的出力信号はコントローラを介して油圧式無断変速装置の変速制御を行なう。
【００６６】
かかるアクセル連動機構については、主体的に操作ワイヤを用いてポテンショ装置の遠隔操作可能とした実施例１の構成と連動機構から直接的にポテンショ装置を操作可能とした実施例２の構成が考えられている。
【００６７】
このようなアクセルペダルＡＰによる主体的なポテンショ装置の操作と共に、実施例1においては別途アクセルレバー（又はアクセルボタン）を装置しこれらをポテンショ装置に連動連結してアクセルペダルＡＰとアクセルレバー等との複合的かつ重畳的なポテンショ装置の操作が可能に構成している。
【００６８】
実施例２においてはアクセルペダルＡＰによるポテンショ装置の操作と共に変速装置の変速レバー操作に連動して作動するポテンショ装置を別途設けて置き、これらの各ポテンショ装置からの信号をセンシングするためのアクセル連動ボタンを装置しておき、このアクセル連動ボタンによって、例えば、ポテンショ装置の操作量が大となる信号の方を選択して油圧式無断変速装置の変速制御を行うように構成している。
【００６９】
なお、いずれの実施例においても、ポテンショ装置からの電気的出力信号はコントローラを介して油圧式無断変速装置の変速制御を行なうように構成されている。
【００７０】
このように本発明トラクタにあっては、アクセルペダルＡＰとアクセル連動機構とポテンショ装置とよりなる油圧式無断変速装置の電気的信号による本来の制御システムと共に、別途ポテンショ装置に連動したアクセルレバー（又はアクセルボタン）やポテンショ装置に連動した変速装置を付加的に構成し、かかる付加構成により本来のアクセルペダルによる油圧式無断変速装置の制御と共にかかる付加構成による複合的かつ重畳的なポテンショ装置操作を可能とした。
【００７１】
［共用可能なアクセル連動機構］
本発明ではかかる油圧式無断変速装置の制御システムを稼働するためのアクセル連動機構の構造を共用化できるように構成したことに特徴がある。以下にその構造について詳細に説明する。
図１３〜１５を参照して、本実施例に係るトラクタＡ１，Ａ２で共用できるアクセル連動機構を説明する。
【００７２】
まず、図６に示すように、運転部３においては運転部フロア９を構成する右ステップＳＲｂにアクセルペダルＡＰを配設している。アクセルペダルＡＰは踏み込み式のペダルであり、一定の脚力で踏み込むと復元付勢機構に抗して運転部フロア面方向に押込まれ油圧式無断変速装置に対してアクセル機能を果たすと共に、踏み込み脚力を解除すると復元付勢機構によって元の位置に復元し油圧式無断変速装置に対して出力減殺機能を果たす。
【００７３】
かかるアクセル連動機構の構成部材は他の機種のトラクタと共用可能に構成されている。共用のアクセル連動機構は、前述の実施例１と実施例２に共通する構成として、図１３に示すように、フロアの底面に溶着自在のベースプレート４００と、このベースプレート４００に突設した長方形の共通ステー４１０と、この共通ステー４１０の短手方向の横板４１２，４１３間に軸架され、操作ワイヤ４０１の動作に連動してアクセル作動部であるプレート４２０を回動自在に軸支するように一端をプレート４２０と連結した操作軸４３０と、操作軸４３０の他端に連結され操作軸４３０の回動に連動して先端が変位する変位板４３１と、軸復元機構である戻りバネ４４０と、を備えて構成されている。
【００７４】
アクセルペダルＡＰの作動構造終端には操作ワイヤ４０１が連結されており、その先端はベースプレート４００に設けられた開孔４０２を通過してプレート４２０の一端に連結されている。アクセルペダルＡＰの踏み込み操作量は操作ワイヤ４０１の作動量となり、この作動量は操作ワイヤ４０１を介して直接アクセル作動部であるプレート４２０に伝達される。
【００７５】
そして、プレート４２０の一端に伝達されたアクセルペダルの操作量は、操作軸４３０の一端とプレート４２０の略中央部とを回動自在に軸支した操作軸４３０の回転量（回転角度）に変換される。そして、アクセルペダルの操作量は、操作軸４３０の回転量として、操作軸４３０の他端に連結された変位板４３１に伝達される。
【００７６】
このように、本実施例においては、実施例1及び実施例２に共通してトラクタの操縦者（運転者）が操作したアクセルペダルの操作量、言い換えるとアクセルペダルの変位量は、アクセル連動機構を構成する操作ワイヤ４０１、プレート４２０、操作軸４３０の順に連動して伝達され、操作軸４３０の回転量として伝達される。
【００７７】
[実施例１におけるワイヤ伝達]
図１４に示すように、通常のワイヤによるアクセルペダルＡＰの操作量を、アクセル作動部に伝達する場合は、操作軸４３０の他端に連結された変位板４３１の上端近傍に設けられた連動軸４３２に連結された伝達ワイヤ４５０により、物理的な変動としてアクセル作動部に伝達される。
【００７８】
具体的に説明すると、トラクタの操縦者（運転者）が操作したアクセルペダルＡＰの操作量は、アクセル連動機構を構成する操作ワイヤ４０１、プレート４２０、操作軸４３０の順に連動して伝達され、操作軸４３０の回転量として操作軸４３０の他端に連結された変位板４３１の上端近傍に設けられた連動軸４３２に伝達される。この連動軸４３２にはアクセルペダルＡＰの操作量をアクセル作動部に直接伝達する伝達ワイヤ４５０の一端が連結されており、アクセルペダルの操作量は伝達ワイヤ４５０を介して物理的な変位量として伝達ワイヤ４５０の多端に連結されたアクセル作動部に伝達される。
【００７９】
なお、一端を連動軸４３２に連結された伝達ワイヤ４５０は、保護ケース４５１内に収容されており、この保護ケース４５１は、共通ステー４１０を構成する前板４１１の連結部４１７に固定されて共通ステー４１０に取り付けられている。
【００８０】
この時、アクセル連動機構には、戻りバネ４４０が連動軸４３２と共通ステー４１０を構成する前板４１１に形成された第１戻りバネ係止部４１４を係止して設けられている。このように、戻りバネ４４０を設けることで、本実施例のアクセル連動機構は、トラクタの操縦者（運転者）がアクセルペダルの操作（具体的には踏み込み）をやめると、戻りバネ４４０の付勢力により、変位板４３１の上端近傍に設けられた連動軸４３２が元の位置に戻ることで、その力が操作軸４３０、プレート４２０、操作ワイヤ４０１の順序で伝達して、アクセルペダルが元の位置に戻ることになる。
【００８１】
更には、このようなアクセルペダルＡＰによる主体的なポテンショ装置の操作と共に、実施例1の構成で述べたように別途アクセルレバー（又はアクセルボタン）を運転部の所定箇所に設けて置く。このようにアクセルペダルとアクセルレバーとの複合的かつ重畳的な構成としそれぞれポテンショ装置の操作が可能に構成している。
【００８２】
すなわち、アクセルペダルＡＰとアクセルレバー（図示せず）をポテンショ装置に連動連結し、アクセルペダルＡＰとアクセルレバーとがそれぞれ別個に操作され油圧式無断変速装置による変速出力を制御しようとする場合は、アクセルペダルＡＰの操作量とアクセルレバーの操作量とを比較して大きい方の操作量を優先的に選択し、操作量の電気的信号をポテンショ装置から出力して油圧式無断変速装置の制御を行うように構成している。なお、ポテンショ装置からの電気的出力信号はコントローラを介して油圧式無断変速装置の変速制御を行なうように構成されている。
【００８３】
[実施例２におけるポテンショ伝達]
図１５に示す用に、アクセルペダルの操作量をポテンショ装置４７０で検出し、アクセル作動部に伝達する場合は、アクセルペダルの操作量は、操作ワイヤ４０１が連結されたプレート４２０の操作軸４３０を中心として反対側に設けられたポテンショ連動軸４２２により、プレート４２０の回動量としてポテンショ装置４７０に伝達される。図中４７１は、ベースプレート４００にポテンショ装置４７０を固定するためのポテンショ用ステーである。
【００８４】
具体的に説明すると、トラクタの操縦者（運転者）が操作したアクセルペダルの操作量は、アクセル連動機構を構成する操作ワイヤ４０１、プレート４２０、ポテンショ連動軸４２２、伝動プレート４２３の順に連動して伝達され、伝動プレート４２３の変位量がポテンショ装置４７０により計測され、計測値がアクセル作動部に電気信号として伝達される。
【００８５】
また、トラクタの操縦者（運転者）が操作したアクセルペダルの操作量は、アクセル連動機構を構成する操作ワイヤ４０１、プレート４２０、操作軸４３０の順に連動して伝達され、操作軸４３０の回転量として操作軸４３０の他端に連結された変位板４３１の上端近傍に設けられた連動軸４３２に同時に伝達される。
【００８６】
連動軸４３２には、戻りバネ４４０が連動軸４３２と共通ステー４１０を構成する前板４１１に形成された第２戻りバネ係止部４１５を係止して設けられている。このように、戻りバネ４４０を設けることで、本実施例のアクセル連動機構は、トラクタの操縦者（運転者）がアクセルペダルの操作（具体的には踏み込み）をやめると、戻りバネ４４０の付勢力により、変位板４３１の上端近傍に設けられた連動軸４３２が元の位置に戻ることで、その力が操作軸４３０、プレート４２０、操作ワイヤ４０１の順序で伝達して、アクセルペダルが元の位置に戻ることになる。
【００８７】
また、連動軸４３２には、油圧ダンパー４６０が接続されており、この油圧ダンパー４６０は、操縦者（運転者）がアクセルペダルの操作（具体的には踏み込み）をやめた場合に、戻りバネ４４０の付勢力によるアクセルペダルの戻りを緩やかにするためのものである。また、図中４６１は、ベースプレート４００に油圧ダンパー４６０を固定するためのダンパー用ステーである。
【００８８】
かかるアクセル連動機構については、アクセルペダルＡＰによる主体的なポテンショ装置の操作と共に、変速装置の変速レバー操作に連動して作動するポテンショ装置を別途設けている。変速レバーは、例えば正逆クラッチ操作や高低速クラッチ操作や前後進クラッチ操作など行うための変速装置を構成しており、かかる変速装置によるクラッチ操作はポテンショ装置の操作に連動するように構成している。
【００８９】
かかる変速レバーの操作もアクセルペダルＡＰの操作も共にポテンショ装置の電気的信号の出力制御に連動するように構成しており、しかもいづれの操作からのポテンショ信号をセンシングするかの選択状況の設定は運転部の所定箇所に装置したアクセル連動ボタンの操作によって行われるように構成している。従って、アクセル連動ボタンの操作をすると変速レバーの操作からのポテンショ信号かアクセルペダルＡＰの操作からのポテンショ信号かのセンシングをコントローラにおいて開始する。
【００９０】
そして、例えば、コントローラにおいて大きい操作量のポテンショ信号の方を選択するとこの信号はコントローラを介して油圧式無断変速装置の変速出力を行う。このようにアクセル連動ボタンの操作によってポテンショ装置の操作量が大となる信号の方が選択されて油圧式無断変速装置の変速制御が行われるように構成している。かかる信号の選択作動はポテンショ装置と油圧式無断変速装置との間に介在されたコントローラを介して行われる。
【００９１】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００９２】
Ａ１    ロプス型のトラクタ
Ａ２    キャビン型のトラクタ
２    原動機部
３    運転部
４００  ベースプレート
４１０  共通ステー
４２０  プレート
４３０  操作軸
４４０  戻りバネ
４５０  伝達ワイヤ
４６０  油圧ダンパー
４７０  ポテンショ装置
【図１】
2016222070.tif 000003
【図２】
2016222070.tif 000004
【図３】
2016222070.tif 000005
【図４】
2016222070.tif 000006
【図５】
2016222070.tif 000007
【図６】
2016222070.tif 000008
【図７】
2016222070.tif 000009
【図８】
2016222070.tif 000010
【図９】
2016222070.tif 000011
【図１０】
2016222070.tif 000012
【図１１】
2016222070.tif 000013
【図１２】
2016222070.tif 000014
【図１３】
2016222070.tif 000015
【図１４】
2016222070.tif 000016
【図１５】
2016222070.tif 000017